(57)【特許請求の範囲】
【請求項１】
第１のグリッププレートと、該第１のグリッププレートに対して互いの端部で相対的に回動可能に連結された第２のグリッププレートと、該第１のグリッププレートのグリップ部と該第２のグリッププレートのグリップ部とが閉じている状態にロックするために、２つの該グリッププレートのうちの一方のグリッププレートに設けられたロック手段と、該ロックされている状態を解放する手動圧力手段と、を備えている衣服用ハンガーグリップにおいて、
前記手動圧力手段は、圧力がかかると、前記ロック手段によるロック状態を解放でき、且つ同じ圧力で前記第１のグリッププレートの前記グリップ部に対して前記第２のグリッププレートのグリップ部が離れる方向に相対的に移動するよう、該第１のグリッププレートと該第２のグリッププレートとのそれぞれに設けられている、
ことを特徴とする衣服用ハンガークリップ。
【請求項２】
請求項１に記載の衣服用ハンガークリップにおいて、
前記手動圧力手段は、前記第１のグリッププレート上の圧力部材と、前記第２のグリッププレート上の解放部材との２つの部品を有して構成されることを特徴とする衣服用ハンガークリップ。
【請求項３】
請求項２に記載の衣服用ハンガークリップにおいて、
前記解放部材は、クリップが閉じた状態において、前記第１のグリッププレートの開口を貫通突出することを特徴とする衣服用ハンガークリップ。
【請求項４】
請求項３に記載の衣服用ハンガークリップにおいて、
前記解放部材は、前記第１のグリッププレートを前記第２のグリッププレートに対してロックするための、前記ロック手段としてのラッチ手段を有することを特徴とする衣服用ハンガークリップ。
【請求項５】
請求項４に記載の衣服用ハンガークリップにおいて、
前記ラッチ手段は、前記第１のグリッププレートの開口の縁と係合するロックリブを有することを特徴とする衣服用ハンガークリップ。
【請求項６】
請求項４に記載の衣服用ハンガークリップにおいて、
前記ラッチ手段は、前記解放部材上の複数の歯および前記第１のグリッププレート上の係合歯を有することを特徴とする衣服用ハンガークリップ。
【請求項７】
請求項６に記載の衣服用ハンガークリップにおいて、
前記第１のグリッププレートの開口縁には、フランジが形成され、
前記係合歯は、前記第１のグリッププレートの前記フランジ上に設けられていることを特徴とする衣服用ハンガークリップ。
【請求項８】
請求項７に記載の衣服用ハンガークリップにおいて、
前記フランジは、前記第１のグリッププレートの自由端に近い、該第１のグリッププレートの開口縁から、前記解放部材上の前記複数の歯を横切る方向に伸びていることを特徴とする衣服用ハンガークリップ。
【請求項９】
請求項２から８のいずれか一項に記載の衣服用ハンガークリップにおいて、
前記解放部材の側縁に、該解放部材にほぼ直角の方向に伸びた補強リブが設けられていることを特徴とする衣服用ハンガークリップ。
【請求項１０】
請求項９に記載の衣服用ハンガークリップにおいて、
前記補強リブは、クリップの解放状態において、前記第１のグリッププレート上の前記圧力部材に係合する端面を有することを特徴とする衣服用ハンガークリップ。
【請求項１１】
請求項１０に記載の衣服用ハンガークリップにおいて、
前記端面は段状部を有することを特徴とする衣服用ハンガークリップ。
【請求項１２】
請求項１０または１１に記載の衣服用ハンガークリップにおいて、
前記圧力部材は、より一層確実に両グリッププレートを相互ロックするために、前記補強リブの端面と係合する、角付けされた縁を有することを特徴とする衣服用ハンガークリップ。
【請求項１３】
第１のグリッププレートと、該第１のグリッププレートに対して互いの端部で相対的に回動可能に連結された第２のグリッププレートと、該第１のグリッププレートのグリップ部と該第２のグリッププレートのグリップ部とが閉じている状態にロックするために、２つの該グリッププレートのうちの一方のグリッププレートに設けられたロック手段と、該ロックされている状態を解放する手動圧力手段と、を備えている衣服用ハンガーグリップにおいて、
前記第１のグリッププレート及び前記第２のグリッププレートには、相手側グリッププレート側に伸びる伸長部がそれぞれ形成され、
前記ロック手段は、前記一方のグリッププレートの前記伸長部に設けられ、
前記手動圧力手段は、前記第１のグリッププレート及び前記第２のグリッププレートの各伸長部の端部に、相手側グリッププレートを基準として自側グリッププレートと反対側の、該相手側グリッププレートの外面側に露出するようそれぞれ形成された圧力部を有し、各グリッププレートの該圧力部に対して互いに近づく方向に圧力がかかると、前記ロック手段によるロック状態を解放でき、且つ各グリッププレートの前記グリップ部が該圧力により相対的に離れるよう作用する、
ことを特徴とする衣服用ハンガークリップ。
【請求項１４】
請求項２から１２のいずれか一項に記載の衣服用ハンガークリップにおいて、
前記圧力部材は、前記第１のグリッププレートから直角方向に伸びた複数の側面部材と、この複数の側面部材の自由端において側面部材間に橋渡しされたプレートとを有することを特徴とする衣服用ハンガークリップ。
【請求項１５】
請求項１から１４のいずれか一項に記載の衣服用ハンガークリップにおいて、前記クリップは一体成型されていることを特徴とする衣服用ハンガークリップ。
【請求項１６】
請求項１５に記載の衣服用ハンガークリップにおいて、
前記クリップは、透明なソフトプラスチック材料製であることを特徴とする衣服用ハンガークリップ。
【請求項１７】
請求項１５に記載の衣服用ハンガークリップにおいて、
前記材料はＫレジンであることを特徴とする衣服用ハンガークリップ。
【請求項１８】
請求項１から１７のいずれか一項に記載の衣服用ハンガークリップを備えた衣服ハンガー。
【発明の詳細な説明】
【０００１】
【産業上の利用分野】
本発明は、衣服ハンガー用クリップに関する。
【０００２】
【従来の技術】
ハンガーの外側に突出した各アームに対して、通常その両最外端部の各々に２個の相重なったグリップ部材からなるクリップを設けることは周知である。これら最外端部のグリップ部材は、通常、ハンガーのアームと一体に成型（モールド）される。但し、グリップ部材をハンガーアームに沿って摺動可能とすることは可能である。衣服クリップは、種々の形状を有するが、主として、ハンガーの所定のアームに一体成型された固定背面プレートと、この背面プレートに回転可能に接続された前面プレートとからなり、この前面プレートは、両プレート間のロック手段を解放することにより係合解除されると、接続ヒンジの回りを上方へ回動しうる。ロック手段は、それが一体成型された背面プレートから外方に前面プレートの方へ向かって突出したほぼＬ字状のアームからなり、このＬ字状アームがクリップの閉状態において前面プレートの開口内に入り込み、この開口の一縁とＬ字状アーム上の外方突出リブ（ｒｉｂ）との間でロックが行なわれるようになっている。前面プレートの解放は、通常、Ｌ字状アームの自由端を押してロックリブをそれがロックされている開口の縁から外すことにより行なわれ、これにより前面プレートが解放される。
【０００３】
このようなクリップをアーム端部に有するハンガーの使用者は、まず、グリップ部材間に挟まれる衣服を支えるに足る強度をクリップが有するか否かを確かめる必要がある。また、クリップは、使用者がＬ字状アームの自由端に対して圧力を加え、その固有の弾性に抗してそれを動かすことにより容易に解放されることが必要である。このような動作は、前面プレートおよび背面プレート間のヒンジ領域の、前面プレートから遠くの（離れた）面上に親指以外の１本の指を置いて、親指でラグに対して圧力をかけることにより行なうのが普通である。
【０００４】
比較的堅い不透明な材料であるポリプロピレンにより構成されたハンガーでは、その材料固有の強度および弾性により、クリップの開放にはさほど問題がなく、前面プレートの係合解除を行なうために比較的短いアームを用いることができる。さらに、アームと前面プレートとの間のグリップ構造が種々の製品により改良されてきたので、ポリプロピレン型のハンガーは、そのロックアームに関しては何ら問題なく利用しうる。
【０００５】
【発明が解決しようとする課題】
しかし、固有の弾性が弱く、より割れやすい透明なプラスチック材料であるＫレジンのようなより柔らかい材料で製造した場合、ロックアームが高頻度でこわれやすくなる。この問題は、前面プレートの開口に位置するまたは貫通するアーム部分の長さを長くすることによりある程度対処することができる。Ｋレジンは、スチレン・ブタジエン共重合体であり、以下ではＫレジンという。
【０００６】
ハンガーの使用者にはっきり見えるように、アームの長さを長くして背面プレートの縁よりも突出させることは公知である。しかし、製造者に関する限り、この特定の解決法は、一体のヒンジ部およびこれから外方に伸びる前面の部分（実質的に問題が軽減された部分）を成型するために特別に複雑かつ高価な形式のモールドを用いなければ、このグリップを成型することができないという問題がある。
【０００７】
本発明の目的は、上述のような問題の少なくとも１つが解決されたクリップ付きの衣服ハンガーを提供することにある。
【０００８】
本発明によれば、第１のグリッププレート（前面グリッププレート）と、該第１のグリッププレートに対して互いの端部で相対的に回動可能に連結された第２のグリッププレート（後面グリッププレート）と、該第１のグリッププレートのグリップ部と該第２のグリッププレートのグリップ部とが閉じている状態にロックするために、２つの該グリッププレートのうちの一方のグリッププレートに設けられたロック手段と、該ロックされている状態を解放する手動圧力手段と、を備え、
前記手動圧力手段は、圧力がかかると、前記ロック手段によるロック状態を解放でき、且つ同じ圧力で前記第１のグリッププレートの前記グリップ部に対して前記第２のグリッププレートのグリップ部が離れる方向に相対的に移動するよう、該第１のグリッププレートと該第２のグリッププレートとのそれぞれに設けられていることを特徴とする衣服用ハンガークリップが提供される。
【０００９】
本発明のクリップの好適な一実施例において、前面および後面プレートは、その一縁に沿ってヒンジにより回転可能に相互接続される。
【００１０】
本発明によるクリップの他の好適実施例において、前記圧力手段は、可動プレート上に装着される。好ましくは、圧力手段は、可動プレートと一体にモールドされ、クリップの閉じた状態で固定プレートの開口を貫通するよう配置される。
好ましくは、圧力手段は、可動プレートからこれと直角方向に突出する側面部材と、これら側面部材間に橋渡しされたプレートとからなる。
【００１１】
本発明の他の実施例において、前面および後面プレートを相互に係合するロック手段は、その一方のプレート部材上に設けた鋸構造を形成する複数の歯と、他方のプレート部材上に設けた、前記複数の歯と相互に係合する歯とからなる。
【００１２】
好ましくは、前記複数の歯は解放アーム上に設けられ、前記相互係合歯は前面プレートから突出したフランジ上に設けられる。
【００１３】
このフランジは、好ましくは、クリップが閉じた状態または半閉じ状態のとき解放アームが貫通する前面プレートの開口の縁から突出する。
【００１４】
本発明の他の実施例において、解放アームには、好ましくは圧力部材が係合する端部面を有する補強リブが設けられる。
【００１５】
好ましくは、この端部面にはスロープが形成され、圧力部材が端部面へ向かう方向へさらに移動するのを阻止する。好ましくは、端部面は段状に形成され、この段状部の、解放アームに対する最外部に圧力部材が係合する。
【００１６】
圧力部材には、好ましくは補強リブの端部面に係合可能な突出縁が設けられる。この突出縁は、好ましくは、リブと圧力部材をより一掃堅固に係合させるために、圧力部材に対して角度が付けられる。
【００１７】
この代替実施例では、フランジがクリップのヒンジ構造を保護し、また、クリップ内に挿入すべき衣服のデリケートな製品が、解放アームと前面プレート間の連結機構内に誤って噛み込まれるのを防止する効果がある。これにより、従来より衣服挟持（ｌｏａｄ）が一層容易なクリップが得られる。
【００１８】
本クリップは、Ｋレジンのようなソフトプラスチック材料を用いて一体成型してもよい。
【００１９】
【実施例】
以下、添付の図面を参照して、本発明の実施例を説明する。
【００２０】
図１〜図４は、符号４の位置において回転可能にヒンジ付けされた前面プレート２および背面プレート３からなる衣服ハンガー用クリップを示す。背面プレート３には細長いＳ字状ロックアーム（すなわち開放アーム）５が固定され、このアーム５は図１の閉じた状態において、前面プレート２の開口６を貫通して突出している。ロックアーム５からは、外方へロックリブ７が突出し、これが前面プレート２の外面に係合して前面プレート２の回動を阻止する。
【００２１】
背面プレート３は、図示のように、開口８を有する細長い平面状の長方形のプレート構造のものであり、クリップの閉じた状態において、前面プレート２の細長い圧力部材９が開口８を貫通突出する。
【００２２】
前面プレート２は、開口６の下側にヒンジ４に対する湾曲部１０を有し、これを挟む２つの前面部分１１，１２は、クリップの閉じた状態において、背面プレート３に対してある角度をなす。
【００２３】
前面プレート２の圧力部材９は、前面部分１１から後方へ背面プレート３の開口８を貫通して突出する。圧力部材９は、前面部分１１に取り付けられた２つの側面プレート１５と、この一方から他方へ橋渡しされた連結プレート１６からなる。
【００２４】
このクリップ装置の動作を考えるに、まず、ヒンジ４から離れた位置にあるその自由端１８，１９の間に衣服を挟み込んだ閉状態にあるとする。この閉状態において、アーム５上のロックリブ７は、前面プレート２の開口６の最下端縁２０に係合する。ロックリブ７と前面プレート２の最外表面との係合により、前面プレート２が矢印２１の方向へ向かってヒンジ４の回りに回動するのを阻止する。
【００２５】
保持された衣服を開放するためにクリップを開くには、一般に親指と人差指でそれぞれアーム５の自由端２２とバー１６の背面２３との間に圧力をかける。
【００２６】
親指と人差指による内側方向への圧力により、ロックアーム５の自由端２２は背面プレート３へ向かう内方へ移動し、ロック要素７の前面プレート２の前面に対する係合を外す。この前面プレート２の解放直後に、プレート１６の背面２３にかかる圧力は、瞬間的にではあるが、前面パネル２を矢印２１の方向へ押し出すに足る時間だけ維持され、これによって、前面および背面パネル２，３間に保持されていた衣服を簡単かつ迅速に解放することができる。したがって、この構成から得られる特有の効果は次の通りである。すなわち、通常、解放レバーに対して加えられる圧力は固定面に対するものであるが、本発明では、背面プレートに対するこのような圧力が前面プレートへ向けられ、その結果、単に解放アームのみの動きにより係合解除するだけでなく前面プレートの移動を援助することができる。
【００２７】
図面に示した特定の実施例について本発明を説明したが、本クリップは種々の異なる形状およびサイズで実現することができ、必ずしも長方形平面構造でなくてもよい。さらに、圧力プレート９は、必ずしも、図２に示した程度まで、背面プレート３の開口８を貫通突出する必要はない。圧力プレート９は、背面プレート３の後部表面と同じ面位置にあってもよく、あるいは、後部表面に対して内側に入り込んでいてもよい。いずれにせよ、操作者の指が圧力プレート９に容易に当接し、ロックリブ７が前面プレート２から係合解除されると直ちに、圧力プレート９にかかっている力が前面プレート２を矢印２１の方向へ移動させ、クリップを開かせる、ということが肝要である。
【００２８】
クリップは、Ｋレジンのような透明なソフトプラスチック材料で一体成型されることが好ましい。本発明は、具体的には、プラスチック材料で製造された衣服ハンガー用に設計されたものであるが、ここに開示する本発明は、ポリプロピレンのようなより硬度の高いプラスチック材料製のクリップに同様に適用することができる。この代わりに場合によっては、アーム５および圧力プレート９は、別個に製造して、接着剤、熱溶接、超音波溶接、あるいはリベットやネジのような機械的接合により固着するようにしてもよい。
【００２９】
ロックリブ７は、アーム５と一体成型された細長いリブとして説明したが、単一の種（ｐｉｐ）状突起、またはプレート２の外面を横切る方向に線状に並びアーム５から外方へ突出する複数の種状突起であってもよい。いずれの場合も、図面上で上下に並んだ２個またはそれ以上のこの種のリブまたは突起列を設け、種々の厚さの衣服を保持するための複数のロック位置を提供するようにしてもよい。
【００３０】
本発明の少なくとも１つの実施例において、前面および背面プレート２，３の閉じた位置において、その自由端１８，１９の領域に、１個または複数の盛り上がった表面部分を設け、これにより、プレート２，３の自由端１８，１９間の所定位置に衣服を保持しやくすることもできる。
【００３１】
好ましくは、ここに示すクリップは、衣服ハンガーのアームに固定的にまたは摺動可能に付属させ、アーム自体もその長さを固定または可変にしてもよい。この代わりに、クリップ自身に鉤（ｈｏｏｋ）または他の支持物（ｓｕｐｐｏｒｔ）を設けて、このクリップを独立して衣服ハンガーとして用いてもよい。
【００３２】
好ましくは、図１から分かるように、ロックアーム５の自由端２２はヒンジ４の高さ（ｌｅｖｅｌ）より下に位置させ、クリップの一体成型の際、アーム５のこの自由端が、クリップのヒンジ部分（わずかに厚さが薄い）の形成時に成型の邪魔にならないようにする。
【００３３】
圧力プレート９は前面プレート２に設けられたものとして説明したが、本発明は、圧力プレート９が背面プレート３に設けられ、印加圧力を前面プレート２へ転送するような構成も含むよう拡張される。この代わりに、圧力プレート９はロック部材上に設け、ロック部材が係合解除されたときこれが圧力部材を可動プレートの内面へ対して動かし、これによって可動プレートを固定プレートから離すようにしてもよい。
【００３４】
本発明による代替実施例について、図５〜図８により説明する。ここに示すクリップに関する限り、図１〜図４で既に説明した部品と同様の部品には同一の参照番号を付す。これらの部品は、先の実施例について前述したと略同様に動作するので、ここでは詳述しない。
【００３５】
特に、図５、６、７から分かるように、本クリップは、参照番号４の位置において回転可能にヒンジ付けされた前面プレート２および背面プレート３を有する。ロック解放アーム５は、背面プレート３と一体成型され、本実施例では、より一層Ｌ字状アームに見える。アーム５は、そのアーム２３の、背面プレート３から離れた面上に、複数のギザギザ部分（ｓｅｒｒａｔｉｏｎｓ）２４を有し、解放アーム５をつかみ易くしている。背面プレート３と一体成型された補強リブ２５は、アーム２３と直交し、Ｌ字状解放アーム５のアーム２６に沿って伸びる。アーム２６上の歯２７は、ロックリブ７に代わるものであり、アーム２６の、リブ２５がある側と反対側に設けられる。この歯２７は、アーム２６の表面を横切って伸びる長方形の細長い凹部２８と、鋸歯（ｓａｗｔｏｏｔｈ）構造を有する３個の歯を有する。これら３個の歯は、解放アーム５のギザギザ部分２４の方向へ向いた傾斜面を有する。
【００３６】
補強リブ２５には、図５においてアーム５の自由端２２からアーム２６へ向かう下方へ伸びる湾曲面２９を有する。このリブの端面３０には、傾斜段状凹部３０ａ（図６）が設けられている。これは、本クリップ装置の動作時、図６に示すように、細長い圧力部材９の下縁３１（図７）と係合する。この下縁３１は圧力部材９から内方へ角度付けされ、補強リブ２５の傾斜端面と堅固に係合するようになっている。
【００３７】
前面プレート２は、これと一体成型されたフランジ３２を有する。フランジ３２は、圧力部材９と同じ方向の外方に伸びている。フランジ３２には、開口６の幅に渡って拡がるロック歯３３を有する。このロック歯３３は、図５、６、７に示すように、開口６の内部方向へ向いており、フランジ３２の反対側は滑らかな平面となっている。ロック歯３３は、歯２７と相互に係合する。この際、フランジ３２は係合歯全体に渡って伸び（覆いかぶさり）、これにより、衣服が歯にひっかかったり、可動部材間にはさまったりしないようになっており、かつ、フランジ３２は開口６の幅全体に渡ってまたは開放アーム５の幅に渡って拡がっている。
【００３８】
好ましくは、前面および背面プレート２，３の自由端１８，１９には、それぞれ、内方に向いた２個の歯３４および２個の歯３５を有し、これらは、クリップが完全に閉じられた状態で互いに当接する。
【００３９】
以下、完全に閉じられた状態から、このクリップの動作を説明する。この状態では、ロック歯３３はアーム２６の凹部２８と係合し、歯３４，３５は互いに当接している。この完全に閉じた状態は、ほぼ図７に示すように、アーム互いにが接近し、歯３４，３５が互いに当接する。この状態での歯３３は、凹部２８内に位置する。
【００４０】
オペレータの親指と人差指の間で、開放アーム５と圧力部材９に対して圧力がかけられると、弾性を有するアーム５は、ロック歯３３から外れ、凹部２８からロック歯３３を解放する。直ちに、圧力部材９にかかっている圧力は前面プレート２をして背面プレート３から離さしめ、前面プレート２の円弧状の回転のため、ロック歯３３はアーム２６上の最初の２個の歯２７と係合し、図７に示すように、中間位置でクリップを保持する。すなわち図７では、フランジ３２は、開いた自由端１８，１９から見たとき、歯２７に覆いかぶさっている。解放アーム５および圧力部材９へさらに圧力をかけると、ロック歯３３が歯２７から外れ、図６の状態に達する。このとき前面および背面アーム２，３はほぼ平行となり、プレート９の縁３１が補強リブ２５の段状表面３０と係合する。このように、前面および背面アーム２，３は、衣服を収容してクリップに吊るそうとする通常のすべての衣服に対して、十分な広さに拡がる。クリップを形成する材料の弾性のため、アーム５および圧力部材９へ更なる圧力が加えられると、縁３０がゆがみ、圧力部材９が段状表面３０から外れて、図５に示すようにクリップを完全に開いた状態とすることができる。
【００４１】
この代替実施例の構成により得られる特有の効果は、フランジ３２がヒンジを保護する機能を有し、かつ、例えばシルクやサテンで作られた下着のようなデリケートな製品がアーム５および開口６間のロック機構内にはさみ込まれる（図１のような実施例では使用者が十分注意を払わなければ起こりうる）のを防止することである。したがって、図５〜図８のクリップは、より一層容易に物を挟むことができ、このようなクリップ付のハンガーを用いる操作者／顧客はハンガーから物を外すとき、注意深く考えたり特別な注意を払ったりする必要がない。
【００４２】
歯２７は、解放アーム５のアーム２６の全面に渡って伸びているものとして説明したが、勿論、全面より狭い幅のものであってもよい。フランジ３２の細長い歯３３についても同様である。この代わりに、歯２７は、好ましくは鋸歯状構成を有する整形した一連の突起として設けることもできる。
【００４３】
プレート２，３およびフランジ３２は真っ直な細長い部材として示したが、他の形状であってもよい。また、図６，７の自由端１８，１９に面するフランジ３２の表面は、好ましくは、前面および背面プレート２，３間のロック手段から衣服を遠ざけるのを助長するような凹表面としてもよい。
【００４４】
図５〜図８のクリップは、前述した実施例のクリップと同じ材料で形成される。
【００４５】
本クリップはこれ単体で、または、衣服ハンガーのアームに装着して用いることができる。
【００４６】
以上、衣服を吊るすためのクリップであって、確実にロックすることができる、透明なソフトプラスチック材料製の、使用時に操作し易くかつ丈夫なクリップについて説明した。このクリップは、Ｋレジン製として説明したが、ポリ塩化ビニル（ＰＶＣ）、高および低密度ポリエチレン、酢酸セルロース、スチレンアクリロニトリル（ＳＡＮ）のような他のソフトプラスチック材料を用いることもできる。
【００４７】
【発明の効果】
本発明によれば、透明なソフトプラスチック材料による一体成型に適した、使い勝手のよい衣服ハンガー用クリップが得られる。
【図面の簡単な説明】
【図１】閉じた状態の、本発明によるクリップの側面斜視図である。
【図２】図１のクリップの側面図である。
【図３】図１のクリップの背面図である。
【図４】図３のクリップの線４−４に沿った断面図である。
【図５】クリップのアームが完全に開放され突出した位置にある、図８の線５−５に沿った断面図である。
【図６】通常の開放位置にある図５のクリップの断面図である。
【図７】半開位置にある図５のクリップの断面図である。
【図８】図５の矢印Ａの方向から見たときのクリップの縮小図である。
【符号の説明】
２…前面プレート、３…背面プレート、４…ヒンジ、５…ロックアーム、６…開口、７…ロックリブ、８…開口、９…圧力部材、１８，１９…自由端。
【図１】
0003630448.tif 000002
【図２】
0003630448.tif 000003
【図３】
0003630448.tif 000004
【図４】
0003630448.tif 000005
【図５】
0003630448.tif 000006
【図６】
0003630448.tif 000007
【図７】
0003630448.tif 000008
【図８】
0003630448.tif 000009